(57)【要約】【課題】複数の放送受信装置の間で所定の管理情報が記憶された情報記憶媒体（ＩＣカードがその典型例）の入れ替えが行われた場合でも，その都度チャンネル設定情報の変更（手入力）を行わなくても，視聴したい番組の放送チャンネルを容易に選局することができること。【解決手段】メモリ１０に複数のＩＣカードの管理情報と複数のチャンネル設定情報とを対応付けて記憶させ，ＩＣカードリーダー１８にＩＣカードが装着されると，制御部６は，メモリ１０に記憶された情報の中から，ＩＣカードから読み出された管理情報に対応するチャンネル設定情報を選択する。そして，制御部６は，選択したチャンネル設定情報に基づいて，リモコン８等により選択されたチャンネルコード（チャンネル番号）に対応する放送チャンネルを特定し，チューナ１及び映像処理部２は，制御部６により特定された放送チャンネルの番組内容を映像表示部５に出力する。【選択図】図１
2008219090.tif 000002
【特許請求の範囲】
【請求項１】
予め定められた複数のチャンネルコードの候補と複数の放送チャンネルとの対応関係を表すチャンネル設定情報に基づいて，所定の操作部を通じた選択操作により選択されたチャンネルコードに対応する放送チャンネルを特定し，特定した放送チャンネルにおける放送番組の内容を所定の出力手段を通じて出力する出力チャンネル切替手段と，着脱自在の情報記憶媒体から所定の管理情報を読み取る管理情報読取手段と，該管理情報読取手段により読み取られた前記管理情報である読取管理情報に基づいて前記複数の放送チャンネルの一部又は全部について前記出力チャンネル切替手段による放送番組の内容の出力を可能とするか否かを制御する出力可否制御手段と，を備えた放送受信装置であって，
複数の前記管理情報と複数の前記チャンネル設定情報とを対応付けて記憶するチャンネル設定情報記憶手段と，
前記チャンネル設定情報記憶手段に記憶された前記チャンネル設定情報の中から前記読取管理情報に対応するものを選択するチャンネル設定情報選択手段と，を具備し，
前記出力チャンネル切替手段が，前記チャンネル設定情報選択手段により選択された前記チャンネル設定情報に基づいて放送チャンネルを特定してなることを特徴とする放送受信装置。
【請求項２】
所定の操作部を通じた操作に従って前記チャンネル設定情報を設定するとともに前記管理情報と対応付けて前記チャンネル設定情報記憶手段に記憶させるチャンネル設定情報手動設定手段を具備してなる請求項１に記載の放送受信装置。
【請求項３】
他の放送受信装置との通信を行う通信手段と，
前記他の放送受信装置から前記通信手段を通じて前記管理情報及びこれに対応する前記チャンネル設定情報を取得して前記チャンネル設定情報記憶手段に記憶させる第１のチャンネル設定情報通信取得手段と，
を具備してなる請求項１又は２のいずれかに記載の放送受信装置。
【請求項４】
他の放送受信装置との通信を行う通信手段と，
前記チャンネル設定情報記憶手段に前記読取管理情報に対応する前記チャンネル設定情報が存在しない場合に，前記他の放送受信装置から前記通信手段を通じて前記読取管理情報に対応する前記チャンネル設定情報を取得し，該チャンネル設定情報及び前記読取管理情報を前記チャンネル設定情報記憶手段に記憶させる第２のチャンネル設定情報通信取得手段と，
を具備してなる請求項１〜３のいずれかに記載の放送受信装置。
【請求項５】
前記通信手段が，ＨＤＭＩ規格におけるＣＥＣ規格に準拠した通信手段，又はＩＥＥＥ１３９４規格に準拠した通信手段である請求項３又は４のいずれかに記載の放送受信装置。
【請求項６】
前記着脱自在の情報記憶媒体がＩＣカードである請求項１〜５のいずれかに記載の放送受信装置。
【発明の詳細な説明】
【技術分野】
【０００１】
本発明は，テレビジョン受像機に係り，特にＩＣカード等の情報記憶媒体が装着され，その記憶情報に応じて番組内容の出力が可能な放送チャンネルが異なり得る放送受信装置に関するものである。
【背景技術】
【０００２】
デジタル放送の受信に対応したデジタル放送受信装置（テレビジョン受像機や録画再生装置等）は，著作権保護及び多様なサービス提供のため，ＩＣカードの読取装置を備え，その読取情報に基づいて，録画や録画データのコピーの制限，及び，予め契約をした者以外に対する特定の有料放送の視聴の制限等を行う出力制限機能を備えている。このようなＩＣカードの例として，株式会社ビーエス・コンディショナルアクセスシステムズが発行するＢ−ＣＡＳカード等がある。このＩＣカードには，ＩＣカードそれぞれに固有のカードＩＤや，有料放送の契約に関する情報（例えば，有料放送チャンネルのスクランブル解除キー）などの管理情報が記憶されている。なお，前記出力制限とは，放送受信装置が備える表示部及びスピーカを通じて番組内容（映像及び音声）を出力することの制限の他，外部の表示装置や音声出力装置に対し，所定の出力端子を通じて番組内容の映像信号や音声信号を出力することの制限や，ハードディスク等の記憶媒体に録画データを出力（記録）することの制限等も含む概念である。
デジタル放送受信装置は，通常，前記ＩＣカードが装着されてはじめてデジタル放送の視聴を可能にするため，複数のデジタル放送受信装置を所有するユーザは，複数のＩＣカードを所有することになる。
ところで，デジタル放送受信装置は，装着されたＩＣカードの記憶情報に基づいて前記出力制限を行うため，装着されるＩＣカードの内容に応じて出力できる（視聴可能とする）放送チャンネルが異なり得る。例えば，ある特定の有料放送を視聴可能とする契約に関する管理情報が記憶された第１のＩＣカードと，同管理情報が記憶されていない第２のＩＣカードとが存在する場合，デジタル放送受信装置は，いずれのＩＣカードが装着されるかによって出力できる放送チャンネルが変わる。
従って，前記第１のＩＣカードがテレビジョン受像機に，前記第２のＩＣカードが録画再生装置に装着されている状態において，前記特定の有料放送の番組を録画するには，前記第１のＩＣカードをテレビジョン受像機から録画再生装置に入れ替える必要がある。また，その逆に前記第１のＩＣカードが録画再生装置に装着されている場合，テレビジョン受像機で前記特定の有料放送の番組を視聴するには，前記第１のＩＣカードを録画再生装置からテレビジョン受像機に入れ替える必要がある。
その改善策として，特許文献１には，無料放送のみを視聴可能とするＩＣカードが装着されたテレビジョン受像機で有料放送が選局されたとき，そのテレビジョン受像機が，選局された有料放送を視聴可能とするＩＣカードが装着されている録画再生装置にその有料放送を受信させ，その受信映像をテレビジョン受像機に供給するよう制御することによって，テレビジョン受像機で選局された有料放送を視聴可能とする技術が示されている。
【０００３】
一方，放送受信装置は，通常，チャンネル設定機能及びダイレクト選局機能を備えている。
前記チャンネル設定機能は，予め定められた複数のチャンネルコードの候補（例えば，１〜１２の選局キー番号）と複数の放送チャンネルとの対応関係（割り当て）を表すチャンネル設定情報を任意に設定可能とする機能である。
また，前記ダイレクト選局機能は，リモコンの数字キー等の操作部を通じた選択操作がなされた場合に，選択されたチャンネルコード（選局キー番号）に対応する放送チャンネルを特定し，特定した放送チャンネルにおける放送番組の内容を出力する機能である。
一般に，衛星放送や有線放送においては，提供される放送チャンネルの数が多いため，限られた数のチャンネルコードに対し，ユーザの嗜好に合った放送チャンネルを割り当てることは，高い操作性を確保するために重要である。特に，デジタル放送受信装置においては，装着されるＩＣカードの内容に応じて出力できる放送チャンネルが異なり得るため，前記チャンネル設定情報により，限られた数のチャンネルコードに対し，出力可能な放送チャンネルのみが割り当てられることも重要となる。このため，ユーザが複数のデジタル放送受信装置（例えば，テレビジョン受像機と録画再生装置）を所有する場合，各デジタル放送受信装置には，それに通常装着されるＩＣカードに応じたチャンネル設定情報が設定（登録）されることが一般的である。そうしないと，ユーザの好みの有料放送のチャンネルをダイレクト選局できなかったり，ダイレクト選局した有料放送の番組を視聴できなかったりするという不都合，即ち，ＩＣカードとチャンネル設定情報との間のミスマッチが生じるからである。
【特許文献１】特開２００１−１６９２６２号公報
【発明の開示】
【発明が解決しようとする課題】
【０００４】
しかしながら，特許文献１の構成では，例えば，選局された有料放送の受信映像をテレビジョン受像機に供給している録画再生装置は，チューナがその供給用に使用されるため，他の番組を録画することができなくなる。そのような場合，結局はＩＣカードの入れ替えが必要となる。
一方，複数のデジタル放送受信装置相互間で，ＩＣカードの入れ替えが行われると，前述したＩＣカードとチャンネル設定情報との間のミスマッチが生じるという問題点があった。また，ＩＣカードを入れ替えるごとにチャンネル設定情報を変更することは，ユーザにとって非常に手間であり現実的でないという問題点があった。
したがって本発明は，上記事情に鑑みてなされたものであり，その目的とするところは，複数の放送受信装置の間で所定の管理情報が記憶された情報記憶媒体（ＩＣカードがその典型例）の入れ替えが行われた場合でも，その都度チャンネル設定情報の変更（手入力）を行わなくても，視聴したい番組の放送チャンネルを容易に選局することができる放送受信装置を提供するものである。
【課題を解決するための手段】
【０００５】
上記目的を達成するために，本発明に係る放送受信装置は，以下の（１）〜（５）に示す構成要素を備えている。
（１）予め定められた複数のチャンネルコードの候補と複数の放送チャンネルとの対応関係を表すチャンネル設定情報に基づいて，所定の操作部を通じた選択操作により選択されたチャンネルコードに対応する放送チャンネルを特定し，特定した放送チャンネルにおける放送番組の内容を所定の出力手段を通じて出力する出力チャンネル切替手段。
（２）着脱自在の情報記憶媒体（ＩＣカードがその典型例）から所定の管理情報を読み取る管理情報読取手段。
（３）前記管理情報読取手段により読み取られた前記管理情報である読取管理情報に基づいて前記複数の放送チャンネルの一部又は全部について前記出力チャンネル切替手段による放送番組の内容の出力を可能とするか否かを制御する出力可否制御手段。
（４）複数の前記管理情報と複数の前記チャンネル設定情報とを対応付けて記憶するチャンネル設定情報記憶手段。
（５）前記チャンネル設定情報記憶手段に記憶された前記チャンネル設定情報の中から前記読取管理情報に対応するものを選択するチャンネル設定情報選択手段。
なお，前記出力チャンネル切替手段が，前記チャンネル設定情報選択手段により選択された前記チャンネル設定情報に基づいて放送チャンネルを特定する。
【０００６】
以上に示した構成要素を備えた放送受信装置は，装着された前記情報記憶媒体に対応した前記チャンネル設定情報を選択してダイレクト選局に使用する。その結果，前記情報記憶媒体の入れ替えが行われた場合でも，その入れ替えの都度チャンネル設定情報の変更（手入力）を行うことなく，視聴したい番組の放送チャンネルを容易に選局（ダイレクト選局）することができる。
なお，本発明に係る放送受信装置は，通常，所定の操作部を通じた操作に従って前記チャンネル設定情報を設定するとともに前記管理情報と対応付けて前記チャンネル設定情報記憶手段に記憶させるチャンネル設定情報手動設定手段を具備する。
【０００７】
一方，本発明に係る放送受信装置が，他の放送受信装置との通信を行う通信手段を備える場合，次の（６）及び（７）に示す各構成要素の一方又は両方をさらに備えることも考えられる。
（６）前記他の放送受信装置から前記通信手段を通じて前記管理情報及びこれに対応する前記チャンネル設定情報を取得して前記チャンネル設定情報記憶手段に記憶させる第１のチャンネル設定情報通信取得手段。
（７）前記チャンネル設定情報記憶手段に前記読取管理情報に対応する前記チャンネル設定情報が存在しない場合に，前記他の放送受信装置から前記通信手段を通じて前記読取管理情報に対応する前記チャンネル設定情報を取得し，そのチャンネル設定情報及び前記読取管理情報を前記チャンネル設定情報記憶手段に記憶させる第２のチャンネル設定情報通信取得手段。
本発明に係る放送受信装置が，上記（６）又は（７）に示す手段を備えれば，装着された前記情報記憶媒体の記憶情報（前記読取管理情報）に対応する前記チャンネル設定情報を，前記通信手段を通じて他装置から自動的に取得することができる。これにより，１つの前記情報記憶媒体の記憶情報に対応する前記チャンネル設定情報を，複数の放送受信装置それぞれに対して重複して手動設定する手間が省ける。
なお，前記通信手段としては，ＨＤＭＩ規格におけるＣＥＣ規格に準拠した通信手段，又はＩＥＥＥ１３９４規格に準拠した通信手段などが考えられる。
【発明の効果】
【０００８】
本発明によれば，通信可能に接続された複数の放送受信装置の間で前記情報記憶媒体（ＩＣカードがその典型例）の入れ替えが行われた場合でも，装着された前記情報記憶媒体に対応した前記チャンネル設定情報が自動的に選択されてダイレクト選局の際に用いられるので，前記情報記憶媒体の入れ替えごとに前記チャンネル設定情報の変更（手入力）を行わなくても，視聴したい番組の放送チャンネルを容易に選局（ダイレクト選局）することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに、図１は本発明に係る放送受信装置の一例であるテレビジョン受像機Ｘと録画再生装置Ｙとを含むＡＶシステムの概略構成を表すブロック図，図２はテレビジョン受像機ＸにＩＣカードが装着されたときのチャンネル設定処理の手順を示すフローチャート，図３はテレビジョン受像機Ｘ及び録画再生装置Ｙに記憶されるカードＩＤ・チャンネル設定対応情報のデータ構成の一例を表す図である。
まず，図１に示すブロック図を用いて，本発明の実施形態に係る放送受信装置の一例であるテレビジョン受像機Ｘの概略構成について説明する。
本発明のテレビジョン受像機Ｘは，同じく本発明の実施形態に係る放送受信装置の一例である録画再生装置Ｙに対し，ＨＤＭＩインターフェースにより接続され，全体としてＡＶシステムを構成している。
前記テレビジョン受像機Ｘは，例えばデジタルチューナ付きテレビジョン受像機などである。また，前記録画再生装置Ｙは，例えばハードディスクやＤＶＤに録画データを記録し，その記録データを再生するデジタルチューナ付きＤＶＤレコーダなどである。
なお，本発明の実施形態に係る放送受信装置は，前記テレビジョン受像機Ｘや前記録画再生装置Ｙの他，デジタルチューナを備えたチューナーユニット等として実施されることも考えられる。
前記テレビジョン受像機Ｘは，図１に示すように，チューナ１，映像処理部２，映像表示部５，制御部６，受光部（リモコンインターフェース）７，リモコン８，フロントマイコン９，メモリ１０，ＣＥＣインターフェース１３，ＨＤＭＩ入力部１４（図中，ＨＤＭＩ−ＲＸと表記），ＩＣカードインターフェース回路１７及びＩＣカードリーダー１８等を具備して構成されている。
なお，前記ＣＥＣインターフェース１３及び前記ＨＤＭＩ入力部１４により，ＨＤＭＩインターフェースが構成されている。
【００１０】
前記チューナ１は，地上波デジタル放送信号やＢＳ又はＣＳ衛星デジタル放送信号等の放送信号から，前記制御部６により指示される放送チャンネルの信号を抽出（選局）するとともに，その抽出信号の検波によって映像信号及び音声信号を取り出し，その映像信号及び音声信号の各々を前記映像処理部２及び音声切替部（不図示）各々へ伝送するものである。
また，前記ＣＥＣインターフェース１３及び前記ＨＤＭＩ入力部１４は，ＨＤＭＩ規格に準拠した信号伝送インターフェースである。このＨＤＭＩ入力部１４には，前記録画再生装置ＹのＨＤＭＩ出力部（図中，ＨＤＭＩ−ＴＸと表記）２４からＴＭＤＳライン４１を通じてベースバンド方式で映像信号及び音声信号が入力される。
前記ＣＥＣインターフェース１３は，ＨＤＭＩ規格におけるＣＥＣ規格に準拠した信号伝送インターフェースである。このＣＥＣインターフェース１３は，前記録画再生装置ＹのＣＥＣインターフェース２３との間で，ＣＥＣライン４２を通じて情報の送受信を行う（通信手段の一例）。前記ＣＥＣインターフェース１３の受信情報の直接の伝送先及び送信情報の直接の供給元は，前記フロントマイコン９である。
なお，信号伝送インターフェース（通信手段）としては，ＩＥＥＥ１３９４規格に準拠した通信手段を使用してもかまわない（通信手段の一例）。
【００１１】
前記映像表示部５は，液晶パネル及び液晶ドライバを備えた液晶表示部などにより構成され，映像処理部２から出力される映像信号に基づく映像を表示するものである（出力手段の一例）。
前記映像処理部２は，前記チューナ１及び前記ＨＤＭＩ入力部１４から映像信号を入力し，それら映像信号について各種の信号処理を行うものである。
さらに，前記映像処理部２は，前記チューナ１及び前記ＨＤＭＩ入力部１４のいずれかから入力した映像信号のうちの任意の１つの映像信号を，前記制御部６からの指示に従って選択し，選択した映像信号を前記映像表示部５に対して出力するものである。
前記制御部６は，演算手段であるＭＰＵ，そのＭＰＵによって実行される制御プログラムが予め格納される記憶手段であるＲＯＭ（ＥＰＲＯＭ），ＭＰＵが実行する処理において読み書きされる各種情報を記憶するＥＥＰＲＯＭ等を備え，当該テレビジョン受像機Ｘ全体を制御するものである。以下に示す前記制御部６の処理や機能は，ＭＰＵがＲＯＭに記憶されたプログラムを実行することによって実現される。
例えば，前記制御部６は，前記リモコン８を通じた選択操作によりチャンネル番号（チャンネルコードの一例）が選択されたことを検知した場合に，前記メモリ１０に記憶されたチャンネル設定情報に基づいて，前記リモコン８により選択されたチャンネル番号に対応する放送チャンネルを特定し，特定した放送チャンネルにおける放送番組の映像信号（番組の内容）を前記チューナ１に選局（選択）させ，その映像信号を，前記映像処理部２及び前記映像表示部５を通じて出力させるダイレクト選局処理を実行する。ここで，前記チャンネル設定情報は，予め定められた複数のチャンネル番号（チャンネルコードの一例）の候補と複数の放送チャンネルとの対応関係を表す情報である。その詳細については後述する。なお，前記ダイレクト選局処理を実行する前記制御部６，前記映像処理部２及び前記映像表示部５が，前記出力チャンネル切替手段の一例である。
【００１２】
前記リモコン８は，当該テレビジョン受像機Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。
また，前記無線信号出力回路は，前記操作入力部から伝送されてくる信号（即ち，前記テレビジョン受像機Ｘの動作の制御信号）を，無線信号（例えば，赤外線信号）に変換し，当該リモコン８から前記テレビジョン受像機Ｘの本体側へ無線伝送するものである。
一方，前記受光部７は，前記リモコン８から伝送される無線信号（赤外線信号等）を受信し，これを電気信号に変換することにより，前記リモコン８から伝送される各種情報を取得するとともに，その取得情報を前記制御部６に伝送するものである。
前記フロントマイコン９は，前記制御部６と，前記受光部７及び前記ＣＥＣインターフェース１３との間で情報伝送を中継する処理を実行するマイクロコンピュータである。
【００１３】
前記ＩＣカードリーダー１８は，脱着自在の情報記憶媒体であるＩＣカードが装着された際に，そのＩＣカードに記憶された管理情報を読み取り（管理情報読取手段の一例），読み取った情報を前記ＩＣカードインターフェース回路１７を通じて前記制御部６へ伝送するものである。前記ＩＣカードには，各ＩＣカードに固有のカードＩＤや有料放送の契約に関する情報（例えば，有料放送チャンネルのスクランブル解除キー等）などの管理情報が予め記憶されている。なお，前記ＩＣカードリーダー１８にＩＣカードが装着されているときに，そのＩＣカードから読み取られた前記カードＩＤのことを，以下，読取カードＩＤという。即ち，読取カードＩＤは，ＩＣカードの入れ替えがあるごとに変化する。
前記制御部６は，前記ＩＣカードから読み取られた前記管理情報に基づいて，選局された放送チャンネルの情報（番組内容）の視聴を可能とするか否か（出力可否）を判別し，視聴可能とすると判断した場合にのみ，前記映像処理部２を制御してその放送チャンネルの映像信号を前記映像表示部５に出力させる（出力可否制御手段の一例）。なお，図１において，チューナ１で選局された放送チャンネルの音声信号の出力系統に関する構成要素（音声処理部，アンプ及びスピーカ等）が省略されているが，前記制御部６は，映像信号の出力制御と同様に音声信号の出力制御も行う。
【００１４】
前記メモリ１０は，前記制御部６により読み書きされる各種の情報を記憶する記憶手段であり，例えば，ＥＥＰＲＯＭやフラッシュメモリ等である。
そして，前記制御部６は，前記リモコン８に対する操作入力に従って，又は，前記ＣＥＣインターフェース１３を通じて外部装置（ここでは，前記録画再生装置Ｙ）から得られる情報に基づいて，前記チャンネル設定情報ｄ２を設定し，そのチャンネル設定情報ｄ２を含むカードＩＤ・チャンネル設定対応情報ｄ０を前記メモリ１０に記憶させるチャンネル設定情報登録機能を備えている。その詳細については後述する。
図３は，前記メモリ１０（前記チャンネル設定情報記憶手段の一例）に記憶される前記カードＩＤ・チャンネル設定対応情報ｄ０のデータ構成の一例を表す図である。
図３に示すように，前記カードＩＤ・チャンネル設定対応情報ｄ０は，ＩＣカードの管理情報の一例である複数のカードＩＤ（ｄ１）と複数のチャンネル設定情報ｄ２とが関連付けられた情報である。また，前記チャンネル設定情報ｄ２は，予め定められた複数のチャンネル番号の候補ｄ２１（例えば，リモコン８におけるチャンネル番号キー（数字キー）に対応するチャンネル番号１，２，３…）と複数の放送チャンネルｄ２２との対応関係を表す情報である。
そして，前記制御部６は，前記カードＩＤ・チャンネル設定対応情報ｄ０の中から１つの前記チャンネル設定情報ｄ２を選択し，そのチャンネル設定情報ｄ２に基づいて，前記リモコン８のチャンネル番号キーの操作がなされたたことを検知した際に，そのチャンネル番号（チャンネルコード）に対応する放送チャンネルを特定し，特定した放送チャンネルにおける放送番組の内容を出力する処理（前記ダイレクト選局処理）を実行する。
【００１５】
次に，前記録画再生装置Ｙの概略構成について説明する。前記録画再生装置Ｙは，図１に示すように，チューナ２１，映像処理部２２，ＣＥＣインターフェース（Ｉ／Ｆ）２３，ＨＤＭＩ出力部２４（図中，ＨＤＭＩ−ＴＸと表記），録画再生部２５，制御部２６，ＩＣカードインターフェース回路２７，ＩＣカードリーダー２８，フロントマイコン２９及びメモリ２０等を具備して構成されている。なお，前記ＣＥＣインターフェース２３及び前記ＨＤＭＩ出力部２４により，ＨＤＭＩインターフェースが構成されている。
ここで，チューナ２１，映像処理部２２，ＣＥＣインターフェース２３（Ｉ／Ｆ），制御部２６，ＩＣカードインターフェース回路２７，ＩＣカードリーダー２８，フロントマイコン２９及びメモリ２０は，それぞれ前記テレビジョン受像機Ｘにおけるチューナ１，映像処理部２，ＣＥＣインターフェース（Ｉ／Ｆ）１３，制御部６，ＩＣカードインターフェース回路１７，ＩＣカードリーダー１８，フロントマイコン９及びメモリ１０と同様のものである。
前記録画再生部２５は，放送番組の録画処理及び録画番組の再生処理を実行するものである。即ち，前記録画再生部２５は，前記チューナ２１により抽出された番組の放送信号（映像信号及び音声信号）を前記映像処理部２２を通じて取得し，圧縮符号化して内部に持つＨＤＤ等のメモリに記録する録画処理を実行する。さらに，前記録画再生部２５は，前記ＨＤＤ等に録画（記録）された放送番組のデータを復号化しながら前記映像処理部２２に引き渡す。前記映像処理部２２は，前記ＨＤＭＩ出力部２４を通じて外部出力する再生処理を実行する。
前記ＨＤＭＩ出力部２４は，ＨＤＭＩ規格に準拠した信号伝送インターフェースである。このＨＤＭＩ出力部２４は，前記ＴＭＤＳライン４１を通じて，前記テレビジョン受像機ＸのＨＤＭＩ入力部１４に対し，ベースバンド方式で映像信号及び音声信号を出力する（出力手段の一例）。
前記ＣＥＣインターフェース２３は，前記テレビジョン受像機Ｘにおける前記ＣＥＣインターフェース１３と同様に，ＨＤＭＩ規格におけるＣＥＣ規格に準拠した信号伝送インターフェースである。このＣＥＣインターフェース２３は，前記ＣＥＣライン４２を通じて，前記テレビジョン受像機Ｘの前記ＣＥＣインターフェース１３との間で情報の送受信を行う。前記ＣＥＣインターフェース２３の受信情報の直接の伝送先及び送信情報の直接の供給元は，前記フロントマイコン２９である。
前記制御部２６は，演算手段であるＭＰＵ，そのＭＰＵよって実行される制御プログラムが予め格納される記憶手段であるＲＯＭ（ＥＰＲＯＭ），ＭＰＵが実行する処理において読み書きされる各種情報を記憶するＥＥＰＲＯＭ等を備え，当該録画再生装置Ｙ全体を制御するものである。以下に示す前記制御部２６の処理や機能は，ＭＰＵがＲＯＭに記憶されたプログラムを実行することによって実現される。
また，前記録画再生装置Ｙの前記制御部２６は、前記録画再生部２５によってＨＤＤ等に記録されたＥＰＧ情報と，同じく予めＨＤＤに記録される番組予約情報とに基づいて，放送番組（映像及び音声）の予約録画を行う予約録画機能も有している。なお，予約録画機能は周知の機能であるので，ここでは詳細な説明は省略する。
なお，後述するように，前記録画再生装置Ｙは，前記テレビジョン受像機Ｘからの要求（指示）に応じて，前記ＩＣカードのカードＩＤｄ１及びこれに対応する前記チャンネル設定情報ｄ２を前記テレビジョン受像機Ｘに引き渡す。
なお，図１には図示していないが，当該録画再生装置Ｙも，前記テレビジョン受像機Ｘが備える前記リモコン８及び前記受光部７に相当するリモコン及び受光部を備え，そのリモコンに対する操作に応じた情報（例えば前記チャンネル設定情報ｄ２）が，受光部及びフロントマイコン２９を通じて前記制御部２６に伝送される。
そして，当該録画再生装置Ｙにおける前記制御部２６も，前記テレビジョン受像機Ｘにおける前記制御部６と同様に，前記カードＩＤ・チャンネル設定対応情報ｄ０を前記メモリ２０に記憶させる前記チャンネル設定情報登録機能を備えている。
【００１６】
次に，図２に示すフローチャートを参照しつつ，前記テレビジョン受像機ＸにＩＣカードが装着されたときに前記制御部６が実行するチャンネル設定処理の手順の一例について説明する。なお，以下，Ｓ１，Ｓ２，…は，処理手順（ステップ）の識別符号を表す。また，前記制御部６は，予めＲＯＭ等に記憶された制御プログラムを実行することにより，以下に示すチャンネル設定処理を実行する。
まず，前記制御部６が，前記ＩＣカードインターフェース回路１７からの入力情報を監視することにより，前記ＩＣカードリーダー１８にＩＣカードが装着されたか否かを検知する処理を，前記ＩＣカードが装着されたことを検知するまで繰り返す（Ｓ１）。
そして，前記制御部６は，前記ＩＣカードが装着されたことを検知した場合，前記ＩＣカードリーダー１８により読み取られた前記読取カードＩＤを，前記ＩＣカードインターフェース回路１７を通じて取得する（Ｓ２）。
さらに，前記制御部６は，前記読取カードＩＤに対応する前記チャンネル設定情報ｄ２が前記メモリ１０に記憶されているか否か（既登録であるか否か）を判別する（Ｓ３）。
そして，前記制御部６は，前記読取カードＩＤに対応する前記チャンネル設定情報ｄ２が前記メモリ１０に記憶されている（既登録である）と判別した場合に，そのチャンネル設定情報ｄ２を，前記メモリ１０に記憶されている前記カードＩＤ・チャンネル設定対応情報ｄ０の中から選択し（Ｓ４，前記チャンネル設定情報選択手段の一例），その選択結果を前記メモリ１０に記憶させた後，チャンネル設定処理を終了させる。以後，前記制御部６は，新たにＩＣカードの入れ替えが行われるまで，このステップＳ４で選択した前記チャンネル設定情報ｄ２に基づいて前記ダイレクト選局処理を実行する。
【００１７】
一方，前記制御部６は，前記読取カードＩＤに対応する前記チャンネル設定情報ｄ２が前記メモリ１０に記憶されていない（未登録である）と判別した場合，前記フロントマイコン９及び前記ＣＥＣインターフェース１３を通じて，他の装置（ここでは，前記録画再生装置Ｙ）に対し，前記読取カードＩＤに対応するチャンネル設定情報ｄ２を記憶している（既登録である）か否かの問合せを行う。その問合わせの際，前記制御部６は，前記読取カードＩＤを含む所定の問合せコマンドを前記録画再生装置Ｙに送信する。
なお，前記録画再生装置Ｙにおいて，前記制御部２６は，前記ＣＥＣインターフェース２３及び前記フロントマイコン２９を通じて前記問合せコマンドを受信した場合に，そのコマンドに含まれるＩＤカードに対応する前記チャンネル設定情報ｄ２が前記メモリ２０に記憶されているか否かを判別し，その判別結果を前記テレビジョン受像機Ｘに対して応答する。
【００１８】
そして，前記制御部６は，ステップＳ５での問合わせに対する応答に基づいて，次に実行する処理を切り替える（Ｓ６）。
即ち，前記制御部６は，他装置（ここでは，前記録画再生装置Ｙ）のいずれかが前記読取カードＩＤに対応する前記チャンネル設定情報ｄ２を記憶していると判別した場合，そのチャンネル設定情報ｄ２を，前記ＣＥＣライン４２及び前記ＣＥＣインターフェース１３を通して前期録画再生装置Ｙから取得し，前記読取カードＩＤと対応づけて前記メモリ２０に追加記憶させる（Ｓ７）。さらに，前記制御部６は，その追加記憶させた前記チャンネル設定情報ｄ２を，これ以降の前記ダイレクト選局処理に用いる情報として選択し（Ｓ７），その選択結果を前記メモリ１０に記憶させた後，チャンネル設定処理を終了させる。以後，前記制御部６は，新たにＩＣカードの入れ替えが行われるまで，このステップＳ７で選択した前記チャンネル設定情報ｄ２に基づいて前記ダイレクト選局処理を実行する。
【００１９】
一方，前記制御部６は，他装置（ここでは，前記録画再生装置Ｙ）のいずれも前記読取カードＩＤに対応する前記チャンネル設定情報ｄ２を記憶していないと判別した場合，ユーザに対して前記チャンネル設定情報ｄ２の手動設定を行うことを，前記映像表示部２に所定のメッセージを表示させることによって促す（Ｓ８）。
また，前記制御部６は，前記メッセージの表示に応じて前記リモコン８で所定の手動設定開始操作がなされたことを検知すると，手入力に基づく前記チャンネル設定情報ｄ２の設定処理を実行し（Ｓ８），その後，チャンネル設定処理を終了させる。即ち，前記制御部６は，前記リモコン８を通じた操作に従って，前記チャンネル設定情報ｄ２を設定するとともに，その設定情報を前記読取カードＩＤと対応付けて前記メモリ１０に記憶させるとともに，そのチャンネル設定情報ｄ２を前記ダイレクト選局処理に用いる旨を表す情報を前記メモリ１０に記憶させる（Ｓ８，前記チャンネル設定情報手動設定手段の一例）。以後，前記制御部６は，新たにＩＣカードの入れ替えが行われるまで，このステップＳ８で設定した前記チャンネル設定情報ｄ２に基づいて前記ダイレクト選局処理を実行する。
例えば，前記制御部６は，前記映像表示部５に所定のメニュー画面を表示させ，予め定められた複数のチャンネル番号の候補ｄ２１それぞれについて，それに割り当てる放送チャンネルを前記リモコン８の操作入力に従って選択することにより，前記チャンネル設定情報ｄ２を設定して前記メモリ１０に記憶させる。その際，前記制御部６は，前記読取カードＩＤを前記ＩＣカードインターフェース回路１７を通じて取得し，その読取カードＩＤと設定した前記チャンネル設定情報ｄ２とを対応付けて前記メモリ１０に記憶させる。このようにして前記メモリ１０に記憶された情報が前記カードＩＤ・チャンネル設定対応情報ｄ０である。
なお，前記制御部６は，前記メモリ１０に前記読取カードＩＤと同じカードＩＤ（ｄ１）を含む前記カードＩＤ・チャンネル設定対応情報ｄ０が記憶されていない場合（例えば，ステップＳ８の場合）には，前記読取カードＩＤと設定した前記チャンネル設定情報ｄ２とを対応付けて前記メモリ１０に追加記憶させ，そうでない場合には，前記読取カードＩＤに対応する前記チャンネル設定情報ｄ２を更新する。
【００２０】
以上に示したように，前記テレビジョン受像機Ｘは，前記ＩＣカードリーダー１８に装着されたＩＣカードに対応した前記チャンネル設定情報ｄ２を選択（Ｓ４）して前記ダイレクト選局処理に使用する。その結果，ＩＣカードの入れ替えが行われた場合でも，その入れ替えのたびに前記チャンネル設定情報ｄ２の変更（手入力）を行うことなく，視聴したい番組の放送チャンネルを容易に選局（ダイレクト選局）することができる。
また，前記制御部６が，前記メモリ１０に前記読取カードＩＤ（前記読取管理情報の一例）に対応する前記チャンネル設定情報ｄ２が存在しない場合（Ｓ３においてＮｏである）に，他の放送受信装置（ここでは，録画再生装置Ｙ）から前記ＣＥＣインターフェース１３（通信手段）を通じて，前記読取カードＩＤに対応する前記チャンネル設定情報ｄ２を取得し，そのチャンネル設定情報ｄ２及び前記読取カードＩＤを前記メモリ１０に記憶させる（Ｓ５及びＳ７，前記第２のチャンネル設定情報通信取得手段の一例）。
このように，前記テレビジョン受像機Ｘは，装着されたＩＣカードの記憶情報（カードＩＤ）に対応する前記チャンネル設定情報ｄ２を，前記ＣＥＣインターフェース１３を通じて他装置から自動的に取得することができる。これにより，１枚のＩＣカードの記憶情報に対応する前記チャンネル設定情報ｄ２を，複数の放送受信装置（テレビジョン受像機Ｘや録画再生装置Ｙ）それぞれに対して重複して手動設定する手間が省ける。
なお，図２に示したチャンネル設定処理は，前記テレビジョン受像機Ｘが実行するチャンネル設定処理について示したが，前記録画再生装置Ｙにおける前記制御部２６も，図２に示したチャンネル設定処理を実行する機能を備えている。
【００２１】
以上に示した実施形態は，前記制御部６が，ＩＣカードが装着されたときに，前記読取カードＩＤに対応する前記チャンネル設定情報ｄ２を他装置から取得するものであるが，前記制御部６が，ＩＣカードの装着有無にかかわらず，所定のタイミングで，他装置から前記カードＩＤ（ｄ１）及びこれに対応する前記チャンネル設定情報ｄ２をセットで取得し，その取得情報を前記カードＩＤ・チャンネル設定対応情報ｄ０として前記メモリ１０に記憶させる処理を実行することも考えられる。
例えば，前記録画再生装置Ｙにおいて，前記制御部２６が，手入力に基づく前記チャンネル設定情報ｄ２の設定処理を実行し，新たな前記チャンネル設定情報ｄ２の設定（登録）を行った場合に，その旨を表す通知を，前記ＣＥＣインターフェース２３を通じて全ての他装置（ここでは，テレビジョン受像機Ｘ）に対して送信する。さらに，前記制御部２６が，その新たなチャンネル設定情報ｄ２とこれに対応する前記カードＩＤ（ｄ１）とを，前記ＣＥＣインターフェース１３を通じて全ての他装置に対して送信する。
一方，前記テレビジョン受像機Ｘにおいて，前記制御部６が，前記ＣＥＣインターフェース１３を通じて，他装置（ここでは，録画再生装置Ｙ）において新たな前記チャンネル設定情報ｄ２の設定（登録）が行われた旨の通知を受信した場合に，その新たなチャンネル設定情報ｄ２とこれに対応する前記カードＩＤ（ｄ１）とを，前記ＣＥＣインターフェース１３を通じて他装置から取得して前記メモリ１０に記憶させる（前記第１のチャンネル設定情報通信取得手段の一例）。
以上のような処理を行うテレビジョン受像機Ｘも，装着されたＩＣカードの記憶情報（カードＩＤ）に対応する前記チャンネル設定情報ｄ２を，前記ＣＥＣインターフェース１３を通じて他装置から自動的に取得することができる。このような実施形態においても，１枚のＩＣカードの記憶情報に対応する前記チャンネル設定情報ｄ２を，複数の放送受信装置（テレビジョン受像機Ｘや録画再生装置Ｙ）それぞれに対して重複して手動設定する手間が省け，しかも，全ての放送受信装置に常に最新の前記チャンネル設定情報ｄ２が設定された状態となる点で好適である。
【００２２】
以上に示した実施形態では，複数の放送受信装置（テレビジョン受像機Ｘや録画再生装置Ｙ）の間で通信を行う通信手段として，前記ＣＥＣインターフェース１３，２３（ＨＤＭＩ規格におけるＣＥＣ規格に準拠した通信手段）を一例として示したが，その通信手段は，ＩＥＥＥ１３９４規格に準拠した通信手段など，他の通信手段であってもかまわない。
同様に，本発明は，着脱自在の情報記憶媒体が，ＩＣカード以外のメモリ（例えば，フラッシュメモリ等）である放送受信装置に適用しても，ＩＣカードが採用されている場合と同様の作用効果が得られる。
【図面の簡単な説明】
【００２３】
【図１】本発明に係る放送受信装置の一例であるテレビジョン受像機Ｘと録画再生装置Ｙとを含むＡＶシステムの概略構成を表すブロック図。
【図２】テレビジョン受像機ＸにＩＣカードが装着されたときのチャンネル設定処理の手順を示すフローチャート。
【図３】テレビジョン受像機Ｘ及び録画再生装置Ｙに記憶されるカードＩＤ・チャンネル設定対応情報のデータ構成の一例を表す図。
【符号の説明】
【００２４】
Ｘ      ：テレビジョン受像機
Ｙ      ：録画再生装置
１，２１：チューナ
２，２２：映像処理部
５      ：映像表示部
６，２６：制御部
７      ：受光部
８      ：リモコン
９，２９：フロントマイコン
１０，２０：メモリ
１３，２３：ＣＥＣインターフェース
１４      ：ＨＤＭＩ入力部
１７，２７：ＩＣカードインターフェース回路
１８，２８：ＩＣカードリーダー
２４      ：ＨＤＭＩ出力部
４１      ：ＴＭＤＳライン
４２      ：ＣＥＣライン
Ｓ１，Ｓ２，…：処理手順（ステップ）
【図１】
2008219090.tif 000003
【図２】
2008219090.tif 000004
【図３】
2008219090.tif 000005